(57)【要約】　　　（修正有）【課題】産業廃棄物を利用して水質浄化に有効な水電極を得る。【解決手段】産業廃棄物である、粘土、石炭灰、焼却灰、コークス、石膏、ガラス粉、鉄粉、活性炭、炭化繊維、貝殻、砂、陶磁器、フェライト、塩、米、水又は、ポリ乳酸樹脂材料で、練り合わせる。少なくとも、１種類から２種類の材料を練り合わせた混練物を、４００度以上で焼成して多孔質導電層１を得る。多孔質導電層は、電極及び磁極を有する電極基盤２，３と導電層を形成する。多孔質体電極板の細孔内に、塩水又は、磁性体細菌群、光合成細菌群、乳酸菌群、酵母菌群、珪藻類、イオン水の溶液を、染み込ませ担持させることで、微生物の導電性及び電極性、静電誘導電流を高め、水質浄化作用等に適した、多孔質電極板を生成する。【選択図】図１
2004137593.tif 000002
【特許請求の範囲】
【請求項１】
磁性体フィルム又は磁性体金属の片面に、多孔質体導電層が積層され、該、多孔質体導電層の片面に、磁性体フィルム又は、磁性体金属があり、前記、多孔質体導電層には、磁性体粉末、多孔質半導体粒子及びイオン水が含まれていることを特徴とする　　　　　　　水電極
【請求項２】
磁性体フィルム又は磁性体金属の片面に、多孔質体導電層が積層され、該、導電層の片面にアルミ又は白金にされた、前記、多孔質体導電層には、磁性体粉末、半導体粒子及びイオン水が含まれていることを特徴とする　水電極
【請求項３】
（１）粘土、石炭灰、コークス、石膏、ガラス粉、鉄粉、活性炭、炭化繊維、貝殻、砂、陶磁器、アルミ、フェライト、塩、汚泥、穀物類から選ばれる混合物に、滴水量の水又は樹脂を加え、少なくとも、１種類から２種類の材料を、練り合わせた混練物を、炉で４００度以上で焼成して後、得られたものである。
（２）磁性体フィルム又は磁性体金属の片面に、前記多孔質体導電層が積層され、該、多孔質体導電層の片面にアルミ又は白金を固定する工程。
（３）多孔質体導電層にイオン水を浸透させる工程
（１）（３）の工程からなる　水電極の製造方法
【請求項４】
（１）粘土、石炭灰、コークス、石膏、セメント、ガラス粉、鉄粉、アルミ、銅粉、リン、スラッグ、苛性ソーダー、活性炭、炭化繊維、貝殻、砂、陶磁器、フェライト、塩、汚泥、穀物類から選ばれる混合物に、滴水量の水を加え、少なくとも、１種類から２種類の材料を、練り合わせた混練物にする工程。
（２）磁性体フィルム又は磁性体金属の片面に、前記混練物を積層する工程
（３）混練物を積層された、該片面に、アルミ又は白金を固定さす工程
（４）圧力タンクに嵌めて圧縮又は、減圧し焼結した後、得られるものである。
水電極の製造方法
【請求項５】
請求項１、２記載の多孔質水半導体粒子の細孔内に、磁性体細菌群、光合成細菌群、乳酸菌群、酵母菌群、酒、醤油、味噌、珪藻類、イオン水溶液を担持された事による　　請求項１、２に記載の水電極
【発明の詳細な説明】
産業廃棄物の資源有効利用を目的にしたものである。廃粘土、石炭灰、陶磁器屑等を、多孔質体に再利用し、磁性体フィルム又は磁性体金属の片面に、導電層が積層された磁性体フィルム又は、磁性体金属と、該導電層に積層された該、片面にアルミ、白金層を含んだ磁性体電極で、導電層細孔内に、磁性体細菌群、光合成細菌群、乳酸菌群、酵母菌群の溶液を、担持された事による微生物の効果的な、導電性及び電極性を高め、水質浄化作用等に応用し、多孔質電極板を護岸及び海底に、設置する事で、多孔質体導電層内に、汚染物質、リン、窒素、アンモニア、鉄イオン、トリクロエチレン、トリハロメタン、ダイオキシン、揮発性有機化合物及び、その他の重金属を吸着させる。また、二極板の多孔質導電層内に、静電誘導電流を発生さすことで各重金属物質を、分子、原子構造に戻し、電解イオン水に変えて、水質及び土壌を浄化するものである。
【０００１】［産業上の利用分野］
電極を付加した多孔質体導電層に、磁性体細菌群、光合成細菌群、乳酸菌群、酵母菌群の溶液を、担持された事による導電性及び微生物の効果的な、電極板を土壌汚染跡地、排水口、地下水、井戸、下水道、護岸用水、河川、閉鎖区域の水中にはめる事で、微生物及び重金属類、リン、窒素、アンモニア、トリクロエチレン、ダイオキシン、トリハロメタン等を吸着し拡散を防ぎ、二極間の電極と多孔質体導電層細孔内で、電極及び磁極かすることで、静電誘導電流を発生させて、それぞれの物質を分子、原子を正負電子を帯びた電解イオン水に変える事で、土壌汚染、地下水、水中の重金属を浄化できる。
【０００２】又、下水道に使用する事で、汚水中に微弱電流及び磁性体、電子帯をつくり、化学物質を分子及び電子並びに電解イオン水に変えて、汚水に溶け込んでいるアンモニア、リン、窒素、油脂肪分等を、微生物による水質浄化を計り、又、電解イオン水で、食物連鎖作用による動植物プランクトン及び、魚介類、海藻類の栄養分に変えて自然浄化させる。
【０００３】［従来の技術］
従来の水質浄化技術は、薬品による撹拌及び吸着マット、活性炭、炭を利用しかなく大量に使用すると、薬剤による二次汚染及び、自然環境に影響を与え、多大なる害と、費用及び設備、人力を必要とすし、後始末に苦慮していた。水質汚染による海の砂漠化及び、生態系汚染を引き起こしているの現状である。
【０００４】［最新の技術］
近年有機性物質を含む排水、河川等の被処理液のＢＯＤ値及び全窒素等を低減する処理方法として、活性汚泥処理方法等の微生物処理方法は一般的に半バッチ方式であり、設備費及び維持費が高くなる事は知られている。
【０００５】［発明が解決しようとする課題］
産業廃棄物の有効利用である。多孔質水半導体粒子は、粘土、石炭灰、焼却灰、コークス、石膏、ガラス粉、鉄粉、活性炭、炭化繊維、貝殻、砂、陶磁器、フェライト、塩、米、水、樹脂の何れか含む材料で、練り合わせる。又、混練物を、炉及び釜で蒸し焼き焼成し、浸透性及び、保水性のある多孔質体導電層を造り、両側に磁性体フィルム又は磁性体金属及びアルミ、白金の電極板を樹脂を、過熱炭化溶融させて電極にする。又、低温焼成する方法として、多孔質水半導体粒子材料に粘土、石炭灰、コークス、セメント、石膏、ガラス粉、鉄粉、アルミ、銅粉、リン、スラッグ、苛性ソーダー、活性炭、炭化繊維、貝殻、砂、陶磁器、フェライト、塩、汚泥、穀物類から選び混合物に滴水量の水を加え、少なくとも、１種類から２種類の材料を、練り合わせた混練物を電極板で挟んで取り出し、タンク内に嵌めて減圧又は、圧力をかけて、温風過熱で固める。
二極間の多孔質導電層内に、静電誘導電流を発生さすことで各重金属物質を、分子、原子構造に戻し、電解イオン水に変えて、水質及び土壌を浄化する。
【０００６】［課題を解決するための手段］
多孔質水半導体粒子は、粘土、石炭灰、焼却灰、コークス、石膏、ガラス粉、鉄粉、活性炭、炭化繊維、貝殻、砂、陶磁器、フェライト、塩、米、水又は、ポリ乳酸樹脂又は、有機系樹脂の何れか含む材料で、練り合わせる。又、混練物を、炉及び釜で蒸し焼き焼成し、浸透性及び、保水性のある多孔質体導電層を造り、両側に磁性体フィルム又は磁性体金属及びアルミ、白金の電極板をポリ乳酸樹脂又は、有機系樹脂か水飴で張り付け、過熱炭化溶融させて導電層にコーティング固定する方法と、又、安価にする方法として、多孔質水半導体粒子材料は、粘土、石炭灰、コークス、セメント、石膏、ガラス粉、鉄粉、活性炭、炭化、繊維、貝殻、砂、陶磁器、フェライト、塩、汚泥、穀物類から選ばれる混合物に滴水量の水を加え、少なくとも、１種類から２種類の材料を、練り合わせた混練物を取り出して、固めて造られる。
又、導電層細孔内に、磁性体細菌群、光合成細菌群、乳酸菌群、酵母菌群、珪藻類の溶液を、担持し両側に電極板と多孔質導電層内で溶液を固定し、大気中の汚染物質及び地中、水中の重金属吸着分解するものである。
混合物を少なくとも１種類から２種類から形成されている材料で、練り合わせた混練物を積層乾燥させて、使用用途に応じて、中空円筒形、円筒形、円形、正方形、長方形、円形状、粒状にプレス成型する。
【０００７】磁性体フィルムは、ポリエステル溶液に、コバルト、ニッケル、鉄を組み合わせた酸化鉄が主成分の磁性体フィルム又は、磁性体金属と、アルミ及び白金板間に、多孔質体導電層を両面側から電極層又は電極板を、樹脂又は水飴で張り付け、過熱炭化コーティング加工する。
【０００８】これらの混練物を、炉及び釜で４００度−１２００度で、蒸し焼きにした、浸透性及び、保水性のある多孔質導電層を造り出すものである。これらの、多孔質導電層電極板の細孔内に、磁性体細菌群、光合成細菌群、乳酸菌群、酵母菌群、珪藻類の溶液を担持された事による微生物の効果的な、導電性及び電極性を高め、水質浄化作用等に応用し、微生物多孔質電極板を生成さす。
これらを、水中に設置する事により、重金属を及びアンモニア、リン、窒素、油脂肪分を吸着分解させるものである。
【０００９】電極及び磁極層間にに多孔質導電層を要した電極板を造り、水中に設置する事で、多孔質層に重金属及びアンモニア、窒素、油性脂肪分及び微生物及び細菌類を吸着し、微弱電流及び静電誘導電流及び磁極作用により、水中の遺伝子及び重金属及び物質に、電子及び分子、−イオン水、電解イオン水に変える事で分解させる。
【００１０】電極板を水中にはめらでる事で、まず水に低周波、低電圧、低電流による静電誘導電界を作用させ、これにより派流を発生させる事で、水中の細菌類及び微生物の細胞膜を破壊する。又、ニッケルや銅等の金属がある環境では、病原菌の繁殖しなくなる原理と、本体材料スチール、アルミ、鉄、活性炭及び炭素体、電極板で低電圧、低電流に静電誘導電流及び磁極をつくり、その中を海水を通すことで、微生物及び細菌類の細胞膜を壊し、電気分解イオンで除菌並びに水質浄化させる。又、汚水濃度が上がるに連れて悪臭を放つ、これらを静電誘導電界、遠赤外線及び電解イオン分解させる。又、シックスハウス症候群の原因とされるホルムアルデヒド等の化学物質の大量吸着状態を電気的に中和させ、吸着力低下するのを抑える。
【００１１】［作用］磁性体フィルム及びアルミの二極間及び基盤に、多孔質導電層を要した形状で、陸上で使用する場合は、多孔質導電層に水分を含ませる事で、多孔質導電層に静電誘導電流が発生させし、空気中に大気中の汚染物質及び活性酸素、揮発性有機化学物質を吸着させて、多孔質導電層内で電解イオン化し、マイナスイオンを発生させて空気を浄化させる。又、多孔質導電層は保水及び浸透性があり、ヒートアイランド効果がある。
【００１２】又、水中に設置する事で、多孔質導電層に重金属トリクロエチレン及びアンモニア、リン、窒素、油脂分を吸着固定し、二極間に陽極、陰極を発生させ、多孔質層に重金属及び、アンモニア、窒素、油性脂肪分及び微生物及び細菌類を吸着し、静電誘導電流作用により、水中の汚染物質及び重金属物質を、分子及び原子構造に戻し、電解イオン水に変えるて分解する。
【００１３】多孔質導電層及び二極間と水中に、磁極、低周波、低電圧、低電流による静電誘導電界及び磁性体よる、遠赤外線を作用させる事により、派流を発生させる。これにより、物質を分子、原子、原子核、粒子に分けられ、電解イオン水にする。
【００１４】多孔質導電層に、水中の磁極細菌類及び磁性体微生物を、多孔質導電層内に繁殖させて、生物電極体をつくり出し、水中の重金属リン、窒素、アンモニア、油及び、脂肪を自然分解させ、水質浄化するものである。
【００１５】これら多孔質電極板を護岸及び被服ブロック、根固めブロック、波消しブロック、魚礁ブロックに張り付ける事で、油吸着、水中の重金属リン、窒素、アンモニア、ダイオキシン、トリクロエチレン、トリハロメタン、油性脂肪分を自然分解させて、水質浄化する。
【００１６】多孔質構造物による、電極及び磁気、静電誘導電流による電解イオン効果で、引き寄せた微生物及び細菌類並びに、魚貝類海藻の栄養分にして、食物連鎖の手助けをし、赤潮及びアオコの発生を防ぎ、閉鎖区域の連続海水循環及び水質浄化する。
【００１７】電極板と多孔質導電体に、海水中及び地中の重金属、トリクロエチレン、トリハロメタン、ダイオキシン、リン、窒素、アンモニアを吸着し、磁極及び電極で、弱い静電誘導電流で、海水中及び地中の重金属を吸着し電子分解させる。
【００１８】重金属及び化学物質分子及び原子を電気分解して＋−電子を帯びた電解イオン水を作り、太陽光による光合成作用を活用し、光合成細菌及び微生物による食物連鎖作用の手助けをし、汚水を分解効果を高める。又、シックスハウス症候群の原因とされるホルムアルデヒド等の化学物質の大量吸着状態を電気的に中和させ、吸着力低下を防ぐ。
【００１９】又、多孔質導電電極板で、油類及び油脂類を付着させて拡散を防ぎ、石油分解菌を引き寄せて増殖さし、油類を微生物分解処理をさせる。
【００２０】［実施例］
（１）まず、粘土約３割、石炭灰約２割、陶磁器屑又はガラス粉を約１割、汚泥約１割コークス、石膏、鉄粉、活性炭、炭化繊維、貝殻、砂、フェライト、塩、穀物類から各約０．１選ばれる混合物に滴水摘量の水又は、ポリ乳酸樹脂を加え、材料を練り合わせた混練物を造り、型枠に充填し、混練物をプレス成型し正方形又は、長方形、円筒形、中空円筒形、球形、粒状に成型され固められた成型物を、固めて取り出し乾燥させる。又、樹脂及びポリ乳酸樹脂の変わりにセメントを使用する。
（２）次に、水又は、ポリ乳酸樹脂混練物成型物を、乾燥させて炉及び釜で約４００度から約１４００度間で過熱し、蒸し焼きにした多孔質導電層を造る。又、水及び樹脂混練物の変わりにセメント混練物を、圧力タンク内に嵌めて減圧し、低温加熱する事で、多孔質体層を造れる。
（３）蒸し焼きにした多孔質導電層の片面に、磁性体フィルム又は導電金属類板を有機溶剤樹脂又はポリ乳酸樹脂で張り付けて、電気又はガス溶接で過熱炭化、溶融してコーティング固定する。また該、片面に、アルミ又は、白金、酸化チタン、ニッケル、銅、金、銀、等の何れかの金属類を同じくコーティング固定する。
（４）各種、電極板の材料がことなる為、真空容器内で大気を減圧し、低温過熱又は電気及びガス溶接し、減圧炭化溶融温度で固定する。
（５）多孔質体電極板の細孔内に、塩水又は、磁性体細菌群、光合成細菌群、乳酸菌群、酵母菌群、珪藻類、醤油、味噌、酒、陽イオン、陰イオンの溶液を使用目的に応じて、染み込ませ担持させる。微生物の導電性及び電極性、静電誘導電流を高め、水質浄化作用等に応用した、多孔質電極基盤を生成する。
（６）電力及び陸電装置を用いて、水中で二極間の電極板に接続し、水中に電流を０．７４Ｖ流し、中空円筒形成型物に電極を内面に向け、外側から巻き付けて流水を通し電極のＳ極又は、Ｎ極を一定方向に向ける。
（７）焼成しない方法として、多孔質導電層は、廃粘土、約３０％石炭灰又は焼却灰約３０％、陶磁器、ガラス粉、石膏、セメント約２０％、コークス、蒸し焼き活性炭、炭化繊維、貝殻１０％、鉄粉、スラッグ、砂、フェライト、穀物類（米）、約１０％塩、水の滴水量で混練物にして固める。
（８）混合物を少なくとも１種類から２種類から形成されている材料で、練り合わせた混練物を積層乾燥させて、使用用途に応じ、中空円筒形、円筒形、円形、正方形、長方形、粒状にプレス成型する。
（９）多孔質導電層の片面に、磁性体フィルム又は導電金属類板を、有機溶剤樹脂又はポリ乳酸樹脂で張り付けて、電気又はガス溶接で過熱炭化、溶融してコーティング固定する。また該、片面に、アルミ又は、白金、酸化チタン、ニッケル、銅、金、銀、等の何れかの金属類を同じくコーティング固定する。
（１０）磁性体フィルム及び磁性体層は、ポリエステル溶液に、コバルト、ニッケル、鉄を組み合わせた酸化鉄が主成分の磁性体フィルム又は、磁性体金属層と、アルミ及び白金板間に、多孔質体導電層を両面側から電極層又は電極板を、ポリ乳酸樹脂又は水飴で張り付けて固定するか、又は真空タンクに嵌め減圧し、低温過熱炭化溶融コーティング加工する。
【００２１】
［効果］
この発明により、多孔質導電層電極は、電極及び磁極を有する電極基盤と導電層を形成する。多孔質体電極板の細孔内に、塩水又は、磁性体細菌群、光合成細菌群、乳酸菌群、酵母菌群、珪藻類の溶液を、染み込ませ担持させることで、微生物の導電性及び電極性、静電誘導電流を高め、水質浄化作用等に応用し、多孔質電極板を生成する。又、地中及び水中の微生物及び重金属リン、アンモニア、窒素、トリクロエチレン、トリハロメタン、ダイオキシン等を、多孔質体セラミックス層に吸着し、多孔質層細孔内に、電極及び磁極、静電誘導電流を発生させ、化学物質及び重金属物質を分子、原子、原子核、粒子に分けられ、電解イオン水に変えて、水質浄化させる。又、シックスハウス症候群の原因とされる、ホルムアルデヒド等の化学物質を、大量吸着状態を電気的に中和させ、吸着力低下を防ぐ。
【図面の簡単な説明】
【図１】本考案の請求項１．解説図である。
【図２】本考案の請求項２．斜視図である。
【符号の説明】
（１）多孔質導電層
（２）磁性体フィルム又は、磁性体金属電極板
（３）アルミ又は、白金又は、磁性体層電極板
（４）ヒートアイランド材
（５）遊歩道、路面材
（６）下水道
（７）護岸擁壁
（８）根固めブロック
（９）海底土壌改良剤
（１０）侵食、波消しブロック
【図１】
2004137593.tif 000003
【図２】
2004137593.tif 000004